(57)【要約】【課題】回収された電子部品や電子機器からレアメタル情報を簡単に取得できると共に、レアメタル情報を秘匿できるようにする。【解決手段】ＲＦＩＤチップ２１に、レアメタル情報を暗号化して保持し、電子部品や電子機器４０に装着しておく。リサイクル時には、ＲＦＩＤリーダ６２により、ＲＦＩＤチップ２１の情報を読み取る。記憶部６７に復号化鍵Ｋ２が記憶されている場合には、記憶されている復号化鍵Ｋ２を使って、レアメタル情報を復号する。復号化鍵Ｋ２が記憶されていない場合には、情報処理端末６１と鍵管理サーバ５１との間で認証を行い、認証が成立すると、鍵管理サーバ５１から情報処理端末６１に送られてくる復号化鍵Ｋ２を使って、レアメタル情報を復号する。正規のリサイクル工場では、レアメタル情報を簡単に取得することができ、また、それ以外に対しては、レアメタル情報を秘匿できる。【選択図】図５
2009116639.tif 000002
【特許請求の範囲】
【請求項１】
部品又は製品と、前記部品又は前記製品に装着されたＲＦＩＤチップとを有し、
前記ＲＦＩＤチップは、前記部品又は前記製品を構成する物質の暗号化された組成情報を保持することを特徴とする組成情報提供装置。
【請求項２】
前記部品又は前記製品を構成する物質の組成情報は、前記部品又は前記製品が含有するレアメタルの情報であることを特徴とする請求項１に記載の組成情報提供装置。
【請求項３】
前記ＲＦＩＤチップには、前記部品又は前記製品中で各物質が含まれる部品名又は部位と、それに使われている物質名と、その物質の含有量の情報とが対応して記憶されていることを特徴とする請求項２に記載の組成情報提供装置。
【請求項４】
前記ＲＦＩＤチップには、暗号化された前記部品又は前記製品中で各物質が含まれる部品名又は部位と、その物質名と、その物質の含有量の情報と、から成る前記組成情報と、これらを復号化するための複合化情報を含む暗号化されていない基礎情報と、が記憶されていることを特徴とする請求項３に記載の組成情報提供装置。
【請求項５】
請求項４に記載の組成情報提供装置から前記組成情報を取得するための情報処理端末と、
前記情報処理端末とネットワークを介して接続される鍵管理サーバと、を有する組成情報提供システムであって、
前記ＲＦＩＤチップは、所定の暗号化鍵によって暗号化された前記組成情報と共に当該組成情報を復号化するための復号化情報と、を保持し、
前記情報処理端末は、記憶部と、
前記ＲＦＩＤチップから読み出した前記復号化情報に基づいて、既に復号化鍵を取得しているか判断し、取得してない場合、前記鍵管理サーバから前記復号化鍵を取得し前記記憶部に記憶する鍵取得制御部と、
前記記憶部に記憶された前記復号化鍵によって、前記ＲＦＩＤチップ内の暗号化情報を解読し、前記組成情報を取得する組成情報取得部とを有し、
前記鍵管理サーバは、前記情報処理端末が、前記暗号化された組成情報の解読を許可されている認証済み端末かどうかを識別する端末識別処理部と、
前記情報処理端末が、前記認証済み端末であると判定した場合、前記複号化鍵を前記情報処理端末に送信する複号化情報送信部と、を有することを特徴とする組成情報提供システム。
【請求項６】
請求項４に記載の組成情報提供装置から前記組成情報を取得するための情報処理端末と、
前記情報処理端末とネットワークを介して接続される鍵管理サーバと、を有する組成情報提供システムの制御方法であって、
前記情報処理端末が、
前記ＲＦＩＤチップから、復号化に必要な復号化情報を読み出す工程と、
前記復号化情報に基づいて、既に復号化鍵を取得しているかどうか検証する工程と、
取得していない場合、前記鍵管理サーバにアクセスし、所定の認証情報を送信し、認証を受けると共に、前記鍵管理サーバから前記復号化鍵を取得し、記憶部に記憶させる工程と、
記憶された前記復号化鍵を用いて前記ＲＦＩＤチップ内の暗号化された組成情報を解読する工程と、
を有することを特徴とする組成情報提供システムの制御方法。
【請求項７】
コンピュータに、請求項６に記載の組成情報提供システムの制御方法における各工程を実行させるためのプログラム。
【発明の詳細な説明】
【技術分野】
【０００１】
本発明は、リサイクル時に電子部品や電子機器の組成情報を提供する組成情報提供装置、組成情報提供システム、組成情報提供システムの制御方法及びプログラムに関する。
【背景技術】
【０００２】
レアメタルは、地球上に埋蔵量が少ない、或いは、取り出すことが困難な非鉄金属であり、ニッケルやコバルト、チタンなどがその代表である。さらに、生産量が極めて少ない金、銀、白金、インジウム、ゲルマニウム、タンタル、タングステン、ネオジウムなどもレアメタルとして挙げられている。これらのレアメタルは、パーソナルコンピュータや携帯電話に使う半導体などの電子部品をはじめ、オーディオビジュアル機器やエアコンなどの家電製品等に広く使われている。レアメタルは世界的に不足しており、電子部品や電子機器に含まれているレアメタルをリサイクルする技術が重要になってきている。
【０００３】
電子部品や電子機器に含まれているレアメタルを効果的にリサイクルするためには、その電子部品や電子機器に、どのような種類のレアメタルがどのくらい含まれているかを把握できることが望まれる。電子部品や電子機器に含まれている物質を把握できるようにした技術としては、特許文献１に、電子部品毎に、それに含まれる有価物質の種類とその含有量とが書き込まれたＩＣタグを貼り付けるようにしたものが提案されている。
【特許文献１】特開２００４−３４８３４８号公報
【発明の開示】
【発明が解決しようとする課題】
【０００４】
しかしながら、特許文献１に示されるものでは、レアメタル情報が保護されていないため、どの電子部品や電子機器にどのようなレアメタルが含まれているかが第三者に不当に知られてしまい、正規のルートでの回収を阻害し、貴重なレアメタルが含まれている電子部品や電子機器が不当な業者により回収されたり、不当に輸出されたりする危険性がある。
【０００５】
本発明は、上述の課題を鑑み、回収された電子部品や電子機器からレアメタルに関するレアメタル情報等の組成情報を簡単に取得できると共に、組成情報を秘匿することができるようにした組成情報提供装置、組成情報提供システム、組成情報提供システムの制御方法及びプログラムを提供することを目的とする。
【課題を解決するための手段】
【０００６】
本発明の組成情報提供装置は、部品又は製品と、部品又は製品に装着されたＲＦＩＤチップとを有し、ＲＦＩＤチップは、部品又は製品を構成する物質の暗号化された組成情報を保持することを特徴とする。
【０００７】
この構成によれば、ＲＦＩＤチップに、部品又は製品を構成する物質の組成情報が保持されているため、部品又は製品のメーカーに問い合わせることなく、ＲＦＩＤチップから容易に組成情報を取得することができる。また、組成情報は暗号化されているため、正規の機関（暗号化情報を解読（復号化）するための情報を所有する者）のみで、組成情報を取得することができ、それ以外に対しては、組成情報を秘匿しておくことができる。これにより、部品又は製品の不当な取り扱いを防止することができる。
【０００８】
上記に記載の組成情報提供装置において、部品又は製品を構成する物質の組成情報は、部品又は製品が含有するレアメタルの情報であることが好ましい。
【０００９】
この構成によれば、所定のリサイクル工場を、暗号化情報を解読可能な正規の機関としておくことで、当該所定のリサイクル工場に対し、容易にレアメタル情報を取得させることができる。また、それ以外のリサイクル工場に対しては、レアメタル情報を秘匿しておくことができるため、貴重なレアメタルが含まれている電子部品や電子機器が不当な業者により回収されたり、不当に輸出されたりすることを防止することができる。
【００１０】
上記に記載の組成情報提供装置において、ＲＦＩＤチップには、部品又は製品中で各物質が含まれる部品名又は部位と、それに使われている物質名と、その物質の含有量の情報とが対応して記憶されていることが好ましい。
【００１１】
この構成によれば、暗号化情報を解読可能な正規の機関において、詳細な組成情報（部品名又は部位と、それに使われている物質名と、その物質の含有量の情報）を取得することができる。
【００１２】
上記に記載の組成情報提供装置において、ＲＦＩＤチップには、暗号化された部品又は製品中で各物質が含まれる部品名又は部位と、その物質名と、その物質の含有量の情報と、から成る組成情報と、これらを復号化するための複合化情報を含む暗号化されていない基礎情報と、が記憶されていることが好ましい。
【００１３】
この構成によれば、暗号化された組成情報を復号化するための複合化情報を別途取得することなく、ＲＦＩＤチップから読み出した基礎情報を用いて、組成情報を解読することができる。
【００１４】
本発明の組成情報提供システムは、上記に記載の組成情報提供装置から組成情報を取得するための情報処理端末と、情報処理端末とネットワークを介して接続される鍵管理サーバと、を有する組成情報提供システムであって、ＲＦＩＤチップは、所定の暗号化鍵によって暗号化された組成情報と共に当該組成情報を復号化するための復号化情報と、を保持し、情報処理端末は、記憶部と、ＲＦＩＤチップから読み出した復号化情報に基づいて、既に復号化鍵を取得しているか判断し、取得してない場合、鍵管理サーバから復号化鍵を取得し記憶部に記憶する鍵取得制御部と、記憶部に記憶された復号化鍵によって、ＲＦＩＤチップ内の暗号化情報を解読し、組成情報を取得する組成情報取得部とを有し、鍵管理サーバは、情報処理端末が、暗号化された組成情報の解読を許可されている認証済み端末かどうかを識別する端末識別処理部と、情報処理端末が、認証済み端末であると判定した場合、複号化鍵を情報処理端末に送信する複号化情報送信部と、を有することを特徴とする。
【００１５】
本発明の組成情報提供システムの制御方法は、上記に記載の組成情報提供装置から組成情報を取得するための情報処理端末と、情報処理端末とネットワークを介して接続される鍵管理サーバと、を有する組成情報提供システムの制御方法であって、情報処理端末が、ＲＦＩＤチップから、復号化に必要な復号化情報を読み出す工程と、復号化情報に基づいて、既に復号化鍵を取得しているかどうか検証する工程と、取得していない場合、鍵管理サーバにアクセスし、所定の認証情報を送信し、認証を受けると共に、鍵管理サーバから復号化鍵を取得し、記憶部に記憶させる工程と、記憶された復号化鍵を用いてＲＦＩＤチップ内の暗号化された組成情報を解読する工程と、を有することを特徴とする。
【００１６】
これらの構成によれば、情報処理端末は、ＲＦＩＤチップから組成情報を読み出したとき、複合化情報に基づいて既に復号化鍵を取得しているか否かを判断し、取得済みの場合は、その復号化鍵を用いて組成情報を解読することができ、未取得の場合は、鍵管理サーバから復号化鍵を取得することができる。言い換えれば、情報処理端末は、一度復号化鍵を取得すれば、その後は組成情報を読み出す度に鍵管理サーバから復号化鍵を取得する必要がないため、組成情報の解読に要する処理を簡素化することができる。
【００１７】
本発明のプログラムは、コンピュータに、上記に記載の組成情報提供システムの制御方法における各工程を実行させるためのものであることを特徴とする。
【００１８】
このプログラムを用いることにより、回収された電子部品や電子機器からレアメタルに関するレアメタル情報等の組成情報を簡単に取得できると共に、組成情報を秘匿することができる。
【発明を実施するための最良の形態】
【００１９】
以下、本発明の一実施形態に係る組成情報提供装置、組成情報提供システム、組成情報提供システムの制御方法及びプログラムについて図面を参照しながら説明する。図１、図２、及び図３は、本発明が適用された電子部品の実施形態として使用されるハードディスクドライブ装置１０の上面構成、内部構成、及び底面構成を示す斜視図である。
【００２０】
図１に示すように、ハードディスクドライブ装置１０は、金属製の駆動部カバー１１に覆われている。ハードディスクドライブ装置１０の一側面には、電源コネクタ１２及びインターフェース１３が配設されている。
【００２１】
図２に示すように、ハードディスクドライブ装置１０の内部には、磁性体が塗布された円板のプラッタ１４と、このプラッタ１４を回転させるディスク駆動モータ１５と、プラッタ１４へのデータの書き込み／読み出しを行うヘッド駆動部１６とが配設されている。
【００２２】
プラッタ１４は、例えばレアメタルであるルテニウムをスパッタリングして形成されている。ディスク駆動モータ１５には、例えばレアメタルであるネオジウムやコバルトが含まれている。ヘッド駆動部１６には、例えばレアメタルであるネオジウムが磁性体として使用されている。また、ハードディスクドライブ装置１０の内部には、ＲＦＩＤ（Radio Frequency Identification）チップ２１ａが取り付けられている。
【００２３】
ＲＦＩＤチップ２１ａは、パッシブタイプを採用しており、メモリとして機能するＩＣチップ部、通信内容のエンコード・デコード等を行う制御部、ＩＣチップに電源を供給するとともに情報の送受信用のアンテナとして機能するアンテナ部から成る。これらの構成により、後述するＲＦＩＤリーダ６２から電磁誘導を利用して電源の供給を受けつつ、非接触で情報の送受信が可能となっている。なお、ＲＦＩＤチップ２１ａには、後に説明するように、駆動系のレアメタル情報が暗号化された暗号化情報が記憶されている。
【００２４】
図３に示すように、ハードディスクドライブ装置１０の底面には、基板１７が配設される。基板１７には、ＩＣチップ、コンデンサ、抵抗等の回路部品１８が実装されている。基板１７のパターンには、例えばレアメタルである金や銀が使用されている。また、回路部品１８の例えばコンデンサには、レアメタルであるタンタルが使用されている。また、基板１７には、基板系のレアメタル情報が暗号化された暗号化情報が記憶された基板系ＲＦＩＤチップ２１ｂが取り付けられている。ＲＦＩＤチップ２１ｂも、パッシブタイプを採用している。
【００２５】
このように、ハードディスクドライブ装置１０には、各種のレアメタルが含まれている。このようなハードディスクドライブ装置１０には、前述したように、駆動系及び基板系のレアメタル情報が暗号化されて記憶されたＲＦＩＤチップ２１ａ及び２１ｂが取り付けられている。つまり、本実施形態において、組成情報提供装置は、ハードディスクドライブ装置１０と、ＲＦＩＤチップ２１ａ及び２１ｂと、から成る。なお、ＲＦＩＤチップ２１ａ及び２１ｂの取り付け位置は、図示した位置に限られるものではなく、任意である。また、ハードディスクドライブ装置１０に対し、１個のＲＦＩＤチップ２１を取り付けるようにしても良いし、駆動系及び基板系で、それぞれ複数個取り付けるようにしても良い。
【００２６】
図４は、電子部品や電子機器４０に含まれているレアメタル情報を暗号化してＲＦＩＤチップ２１に記憶させるための記録装置１００の概要を示すものである。記録装置１００は、暗号化部４１と、ＲＦＩＤライター４２と、を有している。
【００２７】
記録装置１００は、レアメタル情報が入力されると、暗号化部４１により暗号化鍵Ｋ１を用いてレアメタル情報を暗号化する。暗号化鍵Ｋ１は、鍵管理サーバ５１で管理される。
【００２８】
記録装置１００は、この暗号化されたレアメタル情報を、ＲＦＩＤライター４２により、電子部品又は電子機器４０に装着されるＲＦＩＤチップ２１（電子部品又は電子機器４０がハードディスクドライブ装置１０の場合にはＲＦＩＤ２１ａ及び２１ｂに相当する）に記憶させる。また、ＲＦＩＤチップ２１には、レアメタル情報を復号するための復号化情報を含む基礎情報が暗号化されずに記憶される。
【００２９】
なお、ＲＦＩＤチップ２１は、レアメタル情報（暗号化情報）の書き込み後、書き込み／消去を防止するための処理を行うことが好ましい。また、レアメタル情報を書き込む際に、記録装置１００の装置ＩＤや、記録日時を同時に記録しても良い。これらの構成によれば、不正改竄を防止することができる。
【００３０】
図５は、リサイクルの際に電子部品や電子機器４０からレアメタルの情報を取得するための組成情報提供システムのシステム構成を示すものである。組成情報提供システムは、ＲＦＩＤチップ２１が装着された電子部品又は電子機器４０からレアメタル情報を取得するための情報処理端末６１と、情報処理端末６１とネットワーク５５を介して接続される鍵管理サーバ５１と、により構成される。
【００３１】
図５において、鍵管理サーバ５１は、電子部品や電子機器４０に含まれている暗号化されたレアメタル情報の鍵情報を管理するサーバである。この鍵管理サーバ５１は、前述したように、暗号化鍵Ｋ１を管理すると共に、この暗号化鍵Ｋ１と対になっている復号化鍵Ｋ２を管理している。この鍵管理サーバ５１は、許可されているユーザの端末かどうかの認証を行う認証部５２（端末識別処理部）と、許可されているユーザの端末にのみ復号化鍵Ｋ２を送信する制御を行う鍵管理部５３とを有している。また、鍵管理サーバ５１は、通信部５４（複号化情報送信部）により、ネットワーク５５を介して情報処理端末６１と情報の送受信が可能となっている。
【００３２】
情報処理端末６１は、例えば、リサイクル工場に配置されており、情報処理端末６１には、ＲＦＩＤリーダ６２が接続されている。ＲＦＩＤリーダ６２により、電子部品又は電子機器４０に装着されているＲＦＩＤチップ２１の情報が読み取られる。また、情報処理端末６１には、キーボードやマウス等の入力部６４と表示部６５とが設けられている。また、情報処理端末６１には、復号化鍵Ｋ２の取得を制御する鍵取得制御部６６と、復号化鍵Ｋ２を記憶する記憶部６７と、取得した復号化鍵Ｋ２又は記憶部６７に記憶されている復号化鍵Ｋ２を使って、レアメタル情報を復号する復号化部６８（組成情報取得部）とを有している。また、情報処理端末６１は、通信部６９により、ネットワーク５５を介して情報の送受信が可能となっている。
【００３３】
図６は、電子部品や電子機器４０に含まれているレアメタル情報を暗号化してＲＦＩＤチップ２１に記憶させる際の記録装置１００の処理を示すフローチャートである。
【００３４】
図６に示すように、記録装置１００は、電子部品や電子機器４０の各部分のレアメタルの情報を取得する（ステップＳ１）。
【００３５】
例えば、図１〜図３に示したハードディスクドライブ装置１０の場合には、基板１７の部分が外されて、別々にリサイクルされることが考えられる。これを考慮して、駆動系と基板系とに分けられ、駆動系には識別コードとして例えばＲＤ０１が割り当てられ、基板系には識別コードとして例えばＲＤ０２が割り当てられる。
【００３６】
駆動系には、図２に示したように、プラッタ１４と、ディスク駆動モータ１５と、ヘッド駆動部１６が配設されており、プラッタ１４には、レアメタルとして例えばルテニウムが含まれており、ディスク駆動モータ１５には、レアメタルとして例えばネオジウムやコバルトが含まれており、ヘッド駆動部１６には、レアメタルとして例えばネオジウムが含まれている。これにより、ＲＦＩＤチップ２１ａには、図７（Ａ）に示すようなレアメタル情報が記録される。
【００３７】
また、基板系には、図３に示したように、基板１７と回路部品１８が配設されており、基板１７のパターンにはレアメタルとして金や銀が含まれており、回路部品１８にはレアメタルとしてタンタルとが含まれている。これにより、ＲＦＩＤチップ２１ｂには、図７（Ｂ）に示すようなレアメタル情報が記録される。
【００３８】
次に、図６において、記録装置１００は、対応する部分のレアメタル情報を暗号化する（ステップＳ２）。そして、記録装置１００は、識別コードと、暗号化されたレアメタル情報と、基礎情報とをＲＦＩＤチップ２１に記憶させる（ステップＳ３）。
【００３９】
例えば、上述のハードディスクドライブ装置１０の場合には、駆動系と基板系との２つのＲＦＩＤチップ２１ａ及び２１ｂが用意される。図７（Ａ）に示すように、駆動系に含まれているレアメタルの物質名（ルテニウム、ネオジウム、コバルト、ニッケル）と、その含有量（１００μｇ、１０ｇ、１０ｇ、２ｇ、２０ｍｇ）と、部品名（プラッタ、ヘッド駆動部、ディスク駆動モータ）とが対応づけられ、駆動系のレアメタル情報として暗号化される。そして、ＲＦＩＤチップ２１ａには、識別コードＲＤ０１と、このように暗号化された駆動系のレアメタル情報と、基礎情報とが記憶される。
【００４０】
また、図７（Ｂ）に示すように、基板系に含まれているレアメタルの物質名（金、銀、タンタル）と、その含有量（１５ｍｇ、７０ｍｇ、０．１μｇ）、部品名（基板及びＩＣパターン、コンデンサ他回路部品）とが対応づけられ、基板部のレアメタル情報として暗号化される。そして、ＲＦＩＤチップ２１ｂには、識別コードＲＤ０２と、このように暗号化された基板系のレアメタル情報と、基礎情報とが記憶される。
【００４１】
なお、基礎情報は、暗号化されたレアメタル情報を復号するのに必要な情報を含み、この基礎情報は、暗号化されることなくＲＦＩＤチップ２１に記憶される。基礎情報としては、暗号を解くための認証を管理する情報、又は管理を委託されている機関、組織、企業、団体などの連絡先（ＵＲＬ(Uniform Resource Locator)等）の情報等が挙げられる。
【００４２】
図８は、電子部品や電子機器４０からそれに含まれているレアメタル情報を情報処理端末６１が取得する際のＲＦＩＤリーダ６２、情報処理端末６１および鍵管理サーバ５１の処理を示すフローチャートである。
【００４３】
図８に示すように、ＲＦＩＤリーダ６２は、電子部品や電子機器４０に取り付けられたＲＦＩＤチップ２１の情報を読み取り、情報処理端末６１に送信する（ステップＳ１０１）。
【００４４】
情報処理端末６１は、記憶部６７に復号化鍵Ｋ２が記憶されているかどうかを判別し（ステップＳ１０２）、復号化鍵Ｋ２が記憶されている場合には、復号化鍵Ｋ２を読み出す（ステップＳ１０３）。また、情報処理端末６１は、この復号化鍵Ｋ２を使って、レアメタル情報を復号する（ステップＳ１０４）。そして、復号したレアメタル情報を、表示部６５に表示する（ステップＳ１０５）。
【００４５】
一方、ステップＳ１０２で、復号化鍵Ｋ２が記憶されていない場合には、情報処理端末６１と鍵管理サーバ５１との間で認証が行われる（ステップＳ１０６）。なお、認証は、情報処理端末６１を操作しているユーザがＩＤやパスワードを入力して行う他、ＲＦＩＤチップ２１に記録されている基礎情報を使って、自動的に行うことができる。ここでは、鍵管理サーバ５１に基礎情報を送信するものとする。
【００４６】
鍵管理サーバ５１は、基礎情報を受信すると、認証が成立するかどうかについて判別する（ステップＳ１０７）。ここで、認証が成立しない場合は、接続拒否となる（ステップＳ１０８）。この場合、情報処理端末６１は、復号化鍵Ｋ２が得られないので、レアメタル情報を取得できない。
【００４７】
ステップＳ１０７で認証が成立した場合、鍵管理サーバ５１は、情報処理端末６１に、復号化鍵Ｋ２を送信する（ステップＳ１０９）。情報処理端末６１は、この復号化鍵Ｋ２を記憶部６７に記憶する（ステップＳ１１０）。そして、この復号化鍵Ｋ２を使って、レアメタル情報を復号する（ステップＳ１０４）。また、復号されたレアメタル情報を、表示部６５に表示する（ステップＳ１０５）。
【００４８】
例えば、前述のハードディスクドライブ装置１０の場合には、図７（Ａ）及び図７（Ｂ）に示したようなレアメタル情報が暗号化されてＲＦＩＤチップ２１ａ及び２１ｂに記憶されている。このＲＦＩＤチップ２１ａ及び２１ｂから読み出されたレアメタル情報が復号されて表示部６５に表示される。これにより、図９に示すように、ハードディスクドライブ装置１０に含まれているレアメタルの情報が表示部６５に表示される。
【００４９】
なお、図９では、駆動系のレアメタル情報と基板系のレアメタル情報とを一括して表示しているが、識別コード別に表示しても良い。
【００５０】
以上説明したように、本発明の実施形態では、電子部品や電子機器４０にレアメタルの情報が暗号化されてＲＦＩＤチップ２１に記憶される。そして、リサイクル時には、ＲＦＩＤチップ２１から読み出された情報が復号され、レアメタル情報が取得される。
【００５１】
ここで、レアメタル情報を復号するための復号化鍵Ｋ２は、許可を受けている端末以外には知らされないように管理されている。このようにしておくと、正規のリサイクル工場では、レアメタル情報を簡単に取得することができ、また、それ以外に対しては、レアメタル情報を秘匿しておくことができる。
【００５２】
本発明は、上述した実施形態に限定されるものではなく、本発明の要旨を逸脱しない範囲内で様々な変形や応用が可能である。
【００５３】
例えば、上述の例では、組成情報としてレアメタル情報を暗号化してＲＦＩＤチップ２１に記録しているが、組成情報はレアメタル情報に限定されるものではない。例えば、組成情報として合成樹脂の情報を記録しておくと、この合成樹脂の情報を利用して、リサイクル可能か否か、消却廃棄可能かどうか等を判断することができる。
【００５４】
また、上述の例では、電子部品や電子機器４０をリサイクルする場合について説明したが、本発明は、これに限定されるものではなく、他の部品や製品をリサイクルする場合にも同様に適用できる。また、上記の実施形態に示した組成情報提供システムの各工程を実行させるためのプログラム、およびそのプログラムを格納した各種記録媒体（ＣＤ−ＲＯＭ、フラッシュメモリ等）も、本発明の権利範囲に含まれるものである。
【図面の簡単な説明】
【００５５】
【図１】本発明が適用された電子部品の実施形態として使用されるハードディスクドライブ装置の上面構成を示す斜視図である。
【図２】本発明が適用された電子部品の実施形態として使用されるハードディスクドライブ装置の内部構成を示す斜視図である。
【図３】本発明が適用された電子部品の実施形態として使用されるハードディスクドライブ装置の底面構成を示す斜視図である。
【図４】本発明の実施形態において、レアメタル情報を暗号化してＲＦＩＤチップに記憶させるための装置の構成を示すブロック図である。
【図５】本発明の実施形態において、電子部品や電子機器からレアメタルの情報を取得するための組成情報提供システムのシステム構成を示すブロック図である。
【図６】本発明の実施形態において、レアメタル情報を暗号化してＲＦＩＤチップに記憶させる際の処理を示すフローチャートである。
【図７】本発明の実施形態においてＲＦＩＤに記憶されるレアメタル情報の説明図である。
【図８】本発明の実施形態において、電子部品や電子機器からレアメタル情報を取得する際の処理を示すフローチャートである。
【図９】本発明の実施形態におけるレアメタル情報の表示の説明図である。
【符号の説明】
【００５６】
１０：ハードディスクドライブ装置、２１，２１ａ，２１ｂ：ＲＦＩＤチップ、４０：電子部品又は電子機器、４１：暗号化部、４２：ＲＦＩＤライター、５１：鍵管理サーバ、５２：認証部、５３：鍵管理部、５４：通信部、５５：ネットワーク、６１：情報処理端末、６２：ＲＦＩＤリーダ、６５：表示部、６６：鍵取得制御部、６７：記憶部、６８：復号化部、６９：通信部
【図１】
2009116639.tif 000003
【図２】
2009116639.tif 000004
【図３】
2009116639.tif 000005
【図４】
2009116639.tif 000006
【図５】
2009116639.tif 000007
【図６】
2009116639.tif 000008
【図７】
2009116639.tif 000009
【図８】
2009116639.tif 000010
【図９】
2009116639.tif 000011